(57)【特許請求の範囲】
【請求項１】
着用時に前身頃側と後身頃側を形成する前後の胴周り領域と、これらの間に位置する股下領域とを有してなり、液透過性のトップシートと、液不透過性のバックシートと、これらの間に設けられる吸収体とを備え、前記吸収体の長手方向両側縁にサイドフラップが設けられた使いすておむつにおいて、
前記使いすておむつの前記股下領域における前記液透過性のトップシートと液不透過性のバックシートの間には、脚周り開口部に沿って脚周り伸縮弾性部材が配置されており、後身頃側の胴周り領域においては、前記液不透過性のバックシートの外面に、おむつの幅方向に沿っておむつの幅よりも長い長手方向長さを有する帯状シートが少なくとも１本配設されており、前記帯状シートの長手方向両端部には、前記使いすておむつを着用者に装着固定するための固定手段が設けられていることを特徴とする使いすておむつ。
【請求項２】
前記帯状シートが通気性を有するシートからなることを特徴とする請求項１記載の使いすておむつ。
【請求項３】
前記帯状シートは少なくとも一部がおむつの幅方向に伸縮弾性を有する伸縮弾性部材からなり、その少なくとも一部がおむつの幅方向に伸張された状態で配設されていることを特徴とする請求項１又は２に記載の使いすておむつ。
【請求項４】
前記帯状シートに設けられた固定手段が感圧粘着テープからなることを特徴とする請求項１〜３のいずれかに記載の使いすておむつ。
【請求項５】
前記帯状シートに設けられた固定手段が物理的に係合可能な係合システムを構成するフック材からなることを特徴とする請求項１〜３のいずれかに記載の使いすておむつ。
【請求項６】
前記帯状シートが配設された後身頃の胴周り領域と対向する前身頃の胴周り領域の外側面に、前記固定手段が着脱可能に取り付けられる被固定部材が配設されていることを特徴とする請求項１〜５のいずれかに記載の使いすておむつ。
【発明の詳細な説明】
【０００１】
【発明の属する技術分野】
本発明は、前身頃側と後身頃側を形成する前後の胴周り領域と、これらの間に位置する股下領域とを有し、液透過性のトップシートと、液不透過性のバックシートと、これら両シートの間に設けられる吸収体とを備え、前記吸収体の長手方向両側縁にサイドフラップが設けられており、着用者に着用固定するための固定手段を有する止め具としての帯状シートを備えた使いすておむつに関する。
【０００２】
【従来の技術】
使いすておむつは、特公昭５２−４０２６７号公報に開示されている展開型のおむつのように、液透過性のトップシートと液不透過性のバックシートと、これら両シート間に配置された吸収体を有しており、着用時に排泄された尿等の排泄物を液透過性のトップシートを介して吸収体にて保持し、液不透過性のバックシートにより、排泄物が吸収性着用物品の外に漏れ出すことを防ぐものとして用いられ、その用途に応じて使いすての吸収性物品として好適に使用できるように伸縮弾性部材や留め具を備える等、様々な形態のものが知られている。
【０００３】
これらの使いすておむつは乳幼児を始めとして、成人失禁者まで、尿便の排泄に関して自己規制できない者を対象として現在では広く使用されているものであり、液透過性のトップシート、及び液不透過性のバックシートに吸収体を挟持させたものを基本構造とし、これに伸縮弾性部材や粘着テープ等の留め具を備えたものからなる一体型、あるいは予めパンツ型に成形されたものが広く用いられている。
【０００４】
【発明が解決しようとする課題】
これらの使いすておむつは、着用中の尿便の漏れを減少させたり、おむつかぶれや、蒸れを軽減するための様々な改良が加えられて現在に至っており、最近では液不透過性のバックシートとして通気性のあるプラスチックフィルムを使用したり、更にはバックシートの上に更に不織布シートを積層し、着用中の肌触りを下着に近づけたものが提案され、特に乳幼児用の使いすておむつではこれが主流となっている。
【０００５】
また、着用中のおむつかぶれや蒸れを更に軽減させることを目的に、液不透過性のバックシートの配置を吸収体の下部近傍に限定し、サイドフラップ部分は不織布シート、あるいは不織布シートの積層体のみとしたものも提案されている。
【０００６】
この場合、腰周りのサイドフラップ部分が予め接合されておらず、一方の腰周りのサイドフラップ部分に感圧粘着テープ、あるいは物理的係合手段からなる固定手段が設けられた止め具を配設させ、他方の腰周りのサイドフラップ部と重ね合わせた状態で止め具によって固定させて着用者に装着させるタイプの使いすておむつにおいては、これら止め具とサイドフラップへの固定に関し、着用時及び着用中に止め具がサイドフラップ部から外れたり、サイドフラップ部が破断することが無いように止め具のサイドフラップへの固定、及びサイドフラップ部に十分な強度を保つ必要があった。
【０００７】
おむつを装着する際は、一方の腰周りのサイドフラップ部分に配置され、固定手段が設けられた止め具を指で摘み、引っ張りながら着用者の腰周りを覆うようにして、他方の腰周りのサイドフラップ部と重ねた上でおむつの外面に固定させるが、このとき、人によっては止め具を過大な力で引っ張ったり、あるいは着用者が動いた際には更に大きな力が止め具にかかることもあり、この場合、止め具の引っ張り強度以上の力がかかったり、または止め具とサイドフラップとの接着強度以上の力がかかったり、あるいはサイドフラップ部の引っ張り強度以上の力がかかった場合は止め具が破断したり、または止め具がサイドフラップ部から外れたり、あるいはサイドフラップ部が破断することがあるため、様々な使用状況を想定した上で、これら破損を防ぐ手段を講じる必要があった。
【０００８】
特に、最近の乳幼児用の使いすておむつでは、腰周りに止め具を設けた、いわゆるテープタイプのおむつの場合、サイドフラップ部が不織布シート、あるいは不織布シートの積層体で形成された場合は、止め具とサイドフラップの接着強度を十分に確保した上で、サイドフラップ部の破断を防ぐ工夫が必要であった。
【０００９】
本発明の目的は、特にサイドフラップ部が不織布シート、あるいは不織布シートの積層体で形成されたテープ型使いすておむつにおいて、止め具が着用時、あるいは着用中に使用状況にかかわらず、抜けたり、サイドフラップ部が破断することのない製品を提供することにある。
【００１０】
【課題を解決するための手段】
上記従来の使いすておむつの有する課題を解決するための本発明は、以下の核発明を包含する。
（１）着用時に前身頃側と後身頃側を形成する前後の胴周り領域と、これらの間に位置する股下領域とを有してなり、液透過性のトップシートと、液不透過性のバックシートと、これらの間に設けられる吸収体とを備え、前記吸収体の長手方向両側縁にサイドフラップが設けられた使いすておむつにおいて、
前記使いすておむつの前記液透過性のトップシートと液不透過性のバックシートの間には、おむつの脚周り開口部に沿って左右一対の脚周り伸縮弾性部材が配置されており、後身頃側の胴周り領域においては、前記液不透過性のバックシートの外面に、おむつの幅方向に沿っておむつの幅よりも長い長手方向長さを有する帯状シートが少なくとも１本配設されており、前記帯状シートの長手方向両端部には、前記使いすておむつを着用者に装着固定するための固定手段が設けられていることを特徴とする使いすておむつ。
【００１１】
（２）前記帯状シートが通気性を有するシートからなることを特徴とする（１）項に記載の使いすておむつ。
【００１２】
（３）前記帯状シートは少なくとも一部がおむつの幅方向に伸縮弾性を有する伸縮弾性部材からなり、その少なくとも一部がおむつの幅方向に伸張された状態で配設されていることを特徴とする（１）項または（２）項に記載の使いすておむつ。
【００１４】
（４）前記帯状シートに設けられた固定手段が感圧粘着テープからなることを特徴とする（１）項〜（３）項のいずれかに記載の使いすておむつ。
【００１５】
（５）前記帯状シートに設けられた固定手段が物理的に係合可能な係合システムを構成するフック材からなることを特徴とする（１）項〜（３）項のいずれかに記載の使いすておむつ。
【００１６】
（６）前記帯状シートが配設された後身頃の胴周り領域と対向する前身頃の胴周り領域の外側面に、前記固定手段が着脱可能に取り付けられる被固定部材が配設されていることを特徴とする（１）項〜（５）項のいずれかに記載の使いすておむつ。
【００１７】
【発明の実施の形態】
本発明の使いすておむつは、おむつ一方の胴周り領域において、おむつの幅方向に沿っておむつの幅よりも長い長手方向長さを有する止め具としての帯状シートが少なくとも１本配設されており、この帯状シートの長手方向両端部には、前記使いすておむつを着用者に装着固定するために、他方の胴周り領域に対する固定手段が設けられている。
【００１８】
このような構成を有する本発明の使いすておむつは、これを着用する際、一方の胴周り領域に設けられた止め具としての帯状シート左右の端部を摘み、両端部に設けられた固定手段によって、他方の胴周り領域に固定するべく、帯状シートに対し引っ張りの力を加えた場合、着用者の急激な動き等で帯状シートに過大な力が加わることがあっても、左右の端部は独立して配置されておらず、連続した一体化されたものであるから、おむつのサイドフラップ部から外れるようなことはない。
【００１９】
また、サイドフラップ部が不織布シート、あるいは不織布シートの積層体から形成されている場合、従来の使いすておむつのように固定手段を有する止め具がおむつの左右別々に取りつけられている構造のものと異なり、帯状シートに対して過大な引っ張り力がかかるようなことがあっても、引っ張り力がサイドフラップ部の止め具の取りつけ部位に対して局所的に力が加わることがないことから、サイドフラップ部が破断するようなことはない。
【００２０】
また、帯状シートに不織布シートを用いると、シートに通気性を有しているため、通気性を有する液不透過性のバックシートを用いても、帯状シートとバックシートとが重なった部分の通気性を損なうことがないため、着用感を損なうことはない。
【００２１】
更に、帯状シートとして、少なくとも一部をおむつの幅方向に伸縮弾性を有する部材で形成し、その少なくとも一部を伸張状態で配置することにより、帯状シートの収縮力により着用者の体型や動きに追従するため、着用中に使いすておむつがずり下がることがなく、良好な装着感が得られる。
【００２２】
更に、帯状シートを液透過性のトップシートと液不透過性のバックシートとの間に挟持することにより、通常の使いすておむつの製造においてトップシートとバックシートとを接合するために用いられているホットメルト接着剤によって挟持固定することが可能となり、特別の固定目的の材料、あるいは手段を講じる必要がないため、効率的な製造が可能となり、さらに、トップシート及びバックシートによって、比較的広い面積をもって挟持固定されるため、着用時、あるいは着用中に帯状シートが使いすておむつから抜け外れる心配もない。
【００２３】
尚、帯状シートは、バックシートの外側に更に不織布シートが配置された使いすておむつにおいては、バックシートと不織布シート間に挟持させることも可能であり、効率的な製造や使いすておむつからの抜け外れの防止に関しては同様の作用を示す。
【００２４】
本発明において、帯状シートの長手方向両端部近傍に設けられる固定手段は、感圧粘着テープ、あるいは物理的に係合可能なフック材が用いられる。
固定手段として感圧粘着テープを用いた場合は、着用時に帯状シートが配置されている胴周り領域と向かい合うもう一方の胴周り領域において、着用時におむつの外側を形成する面に感圧粘着テープを着脱可能に取り付けることができるプラスチックフィルム等からなる被固定部材を配置することにより、使いすておむつの付け外しを繰り返して行なうことができる。
【００２５】
また、帯状シートの固定手段として物理的に係合可能なフック材を用いた場合は、着用時に帯状シートが配置されている胴周り領域と向かい合うもう一方の胴周り領域において、着用時におむつの外側を形成する面にフック材を着脱可能に取り付けることができるループ材を被固定部材として配置することにより、使いすておむつの付け外しを繰り返して行なうことができる。
なお、おむつの外側を形成する面が不織布で形成されている場合には、特にループ材を配置する必用はなく、おむつの外側面をそのまま被固定部材として利用することができる。
【００２６】
【実施例】
以下に図面を参照して、本発明の使いすておむつについて詳細に説明するが、本発明はこれらにより何等制限されるものではない。
図１は、本発明の使いすておむつをトップシート側から見た外観で、トップシートの一部分を切り欠いた状態を示す平面展開図である。
図１において、使いすておむつ１は、着用時に着用者の腹側を覆う前身頃２と、背中側を覆う後身頃４と、前身頃２と後身頃４の間に設けられた股下部４とから構成されており、長手方向の両側には左右一対のサイドフラップ５が設けられている。
使いすておむつ１は、液透過性のトップシート６と、液不透過性バックシート７と、これら両シートの間に配置された吸収体８から基本的に構成されており、全体概型としては長手方向を有する砂時計型を成している。
また、吸収体８は長手方向を有する砂時計型を成しており、吸収体８の両側縁にはトップシート６とバックシート７との間に左右一対の脚周り伸縮弾性部材１０が配置されている。
また、バックシート７の外側（使いすておむつ１を着用した際のおむつの外面を向く側）には最外層シート９が配置されており、バックシート７の横幅は使いすておむつ１の横幅よりも狭いために、サイドフラップ５はトップシート６と最外層シート９との積層体となっている。
また、後身頃４側にはおむつを着用者に装着固定するための止め具としての帯状シート１１がトップシート６とバックシート７の間に挟持される形で配置されており、帯状シート１１の長手方向両端部には固定手段１２が設けられており、前身頃２側においては最外層シート９上に、被固定部材１３が設けられている。
【００２７】
図２は図１に示した使いすておむつ１をＡ−Ａ'線に沿って切断した状態を示す横断面図である。
図２において、使いすておむつ１は、トップシート６とバックシート７と、これら両シートの間に配置された吸収体８と、バックシート７に積層された最外層シート９から成っており、トップシート６は主に吸収体８上に配置されたセンタートップシート１４と、センタートップシート１４の左右両端部において連結された左右一対のサイドトップシート１５から成り、左右に配置されたサイドトップシート１５の一部分はそれぞれ立体ギャザー１６を形成し、立体ギャザー１６の先端部には立体ギャザー伸縮弾性部材１７が配置されている。
また、吸収体８の両側縁においてサイドトップシート１５とバックシート７との間に左右一対の脚周り伸縮弾性部材１０が配置されている。
【００２８】
図３は図１に示した使いすておむつ１をＢ−Ｂ'線に沿って切断した状態を示す横断面図である。
図３において、使いすておむつ１は、トップシート６と、バックシート７と、これら両シートの間に配置された吸収体８と、バックシート７に積層された最外層シート９から成っており、トップシート６は主に吸収体８上に配置されたセンタートップシート１４と、センタートップシート１４の左右両端部において連結された左右一対のサイドトップシート１５から成り、サイドトップシート１５とバックシート７との間には帯状シート１１が配置され、帯状シート１１の両端部には固定手段１２が設けられている。
【００２９】
図４は、図３とは異なる例を示す、図１に示した使いすておむつをＢ−Ｂ'線に沿って切断した状態を示す横断面図である。
図４において、帯状シート１１は、おむつの幅方向に伸縮弾性を有する伸縮弾性部材１８により形成されており、サイドトップシート１５とバックシート７との間に伸張状態で配置されており、帯状シート１１の両端部には同様に接着固定手段１２が設けられている。
なお、図４では、帯状シート全体が伸縮弾性部材で形成されている例を示したが、帯状シートの一部が伸縮弾性部材で形成されていてもよい。
【００３０】
図１〜図４に示したように、サイドフラップ５は最外層シート９とサイドトップシート１５の積層体から成っており、これらの両シートを不織布シートとした場合は、サイドフラップ部に良好な通気性が付与され、おむつの着用感が向上する。
【００３１】
サイドフラップ部を不織布シート、あるいは不織布シートの積層体で形成した場合、通常使いすておむつに用いる不織布シートは比較的薄物であることから、十分な強度が得られず、従来の使いすておむつのように、サイドフラップ部におむつを着用者に固定するための止め具を直接取りつけた場合、着用時、あるいは着用中に止め具を介してサイドフラップ部に過大な力が働いた場合はサイドフラップ部分が破断することがあったが、本発明の実施例に示したように、長手方向に固定手段を有する止め具としての帯状シートが連続して配置されているため、従来のおむつに見られるようなサイドフラップ部の破断は極めて起こりにくいものとなる。
【００３２】
また、帯状シートに通気性を有するシートを用いた場合、トップシートや通気性を有するバックシートを使用した場合において、これらの材料の通気性を阻害することはない。
【００３３】
また、帯状シートに長手方向の伸縮弾性を付与し、これを伸張状態で配置させると、おむつの後身頃側においておむつの幅方向に伸縮弾性を与えることが可能となり、おむつ装着時のずれ落ちを抑制することが可能となる。
【００３４】
本発明において、トップシート６としては、ポリエチレン、ポリプロピレン、ポリエステル、その他の熱可塑性樹脂を原料とした合成繊維からなる液体透過性不織布を用いるが、サイドフラップ部を形成する部分においては漏れ防止効果をを高めるためにトップシートを部分的に撥水加工を施したり、親水性を有するセンタートップシートの左右に撥水性を有するサイドトップシートを連結して配置し、更には一部分で立体ギャザーを形成することも可能である。
【００３５】
バックシート７としては、液体不透過性のポリエチレンシート、好ましくは微孔を設けたポリエチレンシート、熱可塑性樹脂にフィラーを加えて延伸した透湿性のある液体不透過性シートを用い、透湿性を付与すると蒸れる心配がなくなりより快適である。
【００３６】
最外層シート９としては、ポリエチレン、ポリプロピレン、ポリエステル、その他の熱可塑性樹脂を原料とした合成繊維からなる液体透過性不織布を用いることが可能である。
【００３７】
吸収体８は、本発明の目的を達成する範囲で任意の形状とすることが可能であるが、フラッフパルプを主材に高吸収性ポリマーを併用したものが好ましく、その他に吸収紙単独、又は熱融着繊維等の混合物や積層物が用いられる。
また、全体をティシュで包み込んだ積層構造とすることが好ましい。
【００３８】
脚周り伸縮弾性部材１０、及び立体ギャザー伸縮弾性部材１７はウレタン糸、糸ゴム等の伸縮弾性体であって、それぞれ伸長状態で配置され、ホットメルト接着剤により吸収性物品の長手方向の全長より短い長さで所定の領域に接着固定されている。
【００３９】
帯状シート１１は、ポリエチレン、ポリプロピレン、ポリエステル、その他の熱可塑性樹脂を原料とした合成繊維からなる液体透過性不織布を用いることが可能であり、目付けは５０〜１００ｇ／ｍ2であることが好ましい。
【００４０】
帯状シートに伸縮弾性を付与するための伸縮弾性部材１８は、ポリエチレン、ポリプロピレン、ポリエステル、その他の熱可塑性樹脂を原料とした合成繊維からなる液体透過性不織布を用い、２枚の不織布の間にウレタン糸、ゴム糸、ウレタンフォーム等の伸縮弾性部材を伸張状態で挟持させて形成することが可能である。また、伸縮弾性を有する糸を用いて作製した不織布シート、あるいは織物シートを用いることによっても同様の作用効果が得られる。
【００４１】
帯状シート１１の長手方向両端部に設けられる固定手段１２は、感圧性の粘着材を塗布したり、フック材を配置することにより形成することが可能であり、固定手段が取り付けられる被固定部材１３は、固定手段として感圧性の粘着材を用いた場合は、剥離材を塗工したフィルムを配置することにより固定手段１２との間で繰り返しの取り付けと剥離が可能となり、また、固定手段としてフック材を用いた場合は、フック材と物理的に係合可能なループ材を配置することにより固定手段１２との間で繰り返しの取り付けと剥離が可能となる。
【００４２】
【発明の効果】
本発明の使いすておむつは、これを着用する際、止め具としての帯状シートに対し引っ張りの力を加えた場合、着用者の急激な動き等で帯状シートに過大な力が加わることがあっても、左右の端部は独立して配置されておらず、連続した一体化されたものであるから、帯状シートがおむつのサイドフラップ部から外れるようなことはない。
【００４３】
また、サイドフラップ部が不織布シート、あるいは不織布シートの積層体で形成されている場合、従来の使いすておむつのように固定手段を有する止め具がおむつの左右別々に取りつけられている構造のものと異なり、帯状シートに対して過大な引っ張り力がかかるようなことがあっても、引っ張り力がサイドフラップ部への固定手段の取りつけ部位に対して局所的に加わることがないことから、サイドフラップ部分が破断するようなことはない。
【図面の簡単な説明】
【図１】本発明の使いすておむつのトップシートの一部分を切り欠いた状態を示す平面展開図。
【図２】図１の使いすておむつをＡ−Ａ’線に沿って切断した状態を示す横断面図。
【図３】図１の使いすておむつをＢ−Ｂ’線に沿って切断した状態を示す横断面図。
【図４】図３とは異なる例を示す、図１の使いすておむつをＢ−Ｂ’線に沿って切断した状態を示す横断面図。
【符号の説明】
１：使いすておむつ
２：前身頃
３：股下部
４：後身頃
５：サイドフラップ
６：トップシート
７：バックシート
８：吸収体
９：最外層シート
１０：脚周り伸縮弾性部材
１１：帯状シート
１２：固定手段
１３：被固定部材
１４：センタートップシート
１５：サイドトップシート
１６：立体ギャザー
１７：立体ギャザー伸縮弾性部材
１８：伸縮弾性部材からなる帯状シート
【図１】
0004304859.tif 000002
【図２】
0004304859.tif 000003
【図３】
0004304859.tif 000004
【図４】
0004304859.tif 000005